(57)【要約】【課題】  一つのモータで変倍駆動と合焦駆動を行なうズーム鏡筒を用いる場合でも、操作性の良いマニュアルフォーカスを安価に実現させ、マニュアルフォーカスで得られた映像情報を映像記録媒体に記録できる撮影装置を提供する。【解決手段】  一つのモータで変倍駆動と合焦駆動を行なうズーム鏡筒を用いる場合でも、操作性の良いマニュアルフォーカスを安価に実現させ、マニュアルフォーカスで得られた映像情報を映像記録媒体に記録できる撮影装置を提供する。【選択図】  図４
2007065333.tif 000002
【特許請求の範囲】
【請求項１】
一つのモータと、該モータを主動力としてレンズの変倍駆動と合焦駆動を行う撮影手段を有する撮影装置において、撮影装置使用者が、任意で決めた合焦位置又は方向を基に、撮影手段の合焦駆動を行うことを特徴とする撮影装置。
【請求項２】
一つのモータと、該モータを主動力としてレンズの変倍駆動と合焦駆動を行う撮影手段を有する撮影装置において、該撮影装置の合焦用情報を用いて撮影手段の合焦駆動を行う第１の合焦モードと、撮影装置使用者が任意で決めた合焦位置又は方向を基に、撮影手段の合焦駆動を行う第２の合焦モードと、有したことを特徴とする撮影装置。
【請求項３】
前記請求項２で、前記第１と第２のモードを選択するモード選択手段を有したことを特徴とする撮影装置。
【請求項４】
前記請求項１〜３で、撮影装置使用者の任意で撮影手段の合焦駆動を行う場合に、合焦操作による撮影手段駆動に合焦駆動許可区間を設けて撮影手段の動きを制限したことを特徴とする撮影装置。
【請求項５】
前記請求項４で、前記合焦駆動許可区間は、少なくとも撮影手段の合焦区間の一部を含む領域であることを特徴とする撮影装置。
【請求項６】
前記請求項１〜５で、撮影手段の合焦区間を検出する検出手段があることを特徴とする撮影装置。
【請求項７】
前記請求項１〜６で、前記撮影手段が有する複数の合焦区間ごとに合焦区間を検出する検出手段を有することを特徴とする撮影装置。
【請求項８】
前記請求項６、７で、合焦区間検出結果とあらかじめ記憶された情報を比較することで前記合焦駆動許可区間を判定することを特徴とする撮影装置。
【請求項９】
前記請求項１〜８で、前記撮影装置使用者の任意で撮影手段の合焦駆動を行う場合に、前記撮影手段が前記合焦駆動許可区間外に動くのを規制する規制手段を設けたことを特徴とする撮影装置。
【請求項１０】
前記請求項１〜９で、前記撮影装置使用者の任意で撮影手段の合焦駆動を行う場合に、前記撮影手段が前記合焦駆動許可区間外に動いた場合、警告手段で警告することを特徴とする撮影装置。
【請求項１１】
前記請求項１〜10で、前記撮影装置使用者の任意で撮影手段の合焦駆動を行う場合に、前記撮影手段が前記合焦駆動許可区間外に動いた場合、撮影装置使用者の任意による合焦駆動操作の一部を禁止することを特徴とする撮影装置。
【請求項１２】
前記請求項1〜11で、前記撮影装置使用者の任意で撮影手段の合焦駆動を行う場合に、前記撮影手段が前記合焦駆動許可区間外に動いた場合、自動で撮影手段を前記合焦駆動許可区内へ戻すことを特徴とする撮影装置。
【請求項１３】
一つのモータと、該モータを主動力としてレンズの変倍駆動と合焦駆動を行う撮影手段を具備した撮影装置において、該撮影装置の合焦用情報によって撮影手段の合焦駆動を行う第１の合焦モードと、撮影装置使用者が、任意で決めた合焦位置又は方向を基に、撮影手段の合焦駆動を行う第２の合焦モードと、前記第１と第２のモードを選択するモード選択手段を有し、前記撮影手段が所定の動作区間にある時に、モード選択手段の切り替えを可能としたことを特徴とする撮影装置。
【請求項１４】
前記請求項13で、前記所定の動作区間は少なくとも撮影手段の合焦区間の一部を含む領域であることを特徴とする撮影装置。
【請求項１５】
前記請求項13、14で、撮影手段の合焦区間を検出する検出手段があることを特徴とする撮影装置。
【請求項１６】
前記請求項13〜15で、前記撮影手段が有する合焦区間数だけ合焦区間を検出する検出手段を有することを特徴とする撮影装置。
【請求項１７】
前記請求項15、16で、合焦区間検出結果とあらかじめ記憶された情報を比較することで前記所定の動作区間を判定することを特徴とする撮影装置。
【請求項１８】
前記請求項13〜17で、前記第1のモードから前記第2のモードにモード選択切り替え後、撮影手段が合焦区間外にあると判断される場合、自動で合焦区間内に撮影手段を移動させることを特徴とする撮影装置。
【請求項１９】
前記請求項13〜18で、前記第２の合焦モード時に、前記撮影手段が所定の動作区間でない時にモード選択手段の切り替えを規制する規制手段を設けたことを特徴とする撮影装置。
【請求項２０】
一つのモータと、該モータを主動力としてレンズの変倍駆動と合焦駆動を行う撮影手段と、前記撮影手段の位置情報を検出する検出手段と、前記位置情報を記憶する記憶手段とを具備した撮影装置において、該撮影手段は第1と第2の合焦区間を有し、撮影装置使用者が任意で決めた合焦位置又は方向を基に撮影手段の合焦駆動を行う場合に、第1合焦区間で設定された撮影手段の停止位置にまつわる情報を記憶し、変倍操作手段によって第1合焦区間から第2合焦区間に駆動された後、記憶された撮影手段位置情報をもとに撮影手段を停止させることを特徴とする撮影装置。
【請求項２１】
請求項20で、前記第1合焦区間で設定された撮影手段の停止位置にまつわる情報とは撮影手段位置情報又は焦点距離情報であることを特徴とする撮影装置。
【請求項２２】
請求項20、21第2合焦区間での停止位置は、第1合焦区間での最終停止位置と略同一合焦距離位置であることを特徴とする撮影装置。
【請求項２３】
前記請求項１〜22で、前記撮影装置は前記撮影手段で得られた映像を表示する映像表示手段を有することを特徴とする撮影装置。
【請求項２４】
請求項23で前記映像表示手段とは、前記撮影手段の映像を光学レンズを用いて見る光学式ファインダー、あるいは前記撮影手段の映像を光電変換手段や画像処理手段を用いて電気信号に変え、液晶等の表示手段を用いて見る電子式ファインダーであることを特徴とする撮影装置。
【請求項２５】
前記請求項1〜24で、前記撮影装置は前記撮影手段で得られた映像を記録するための映像記録手段を有することを特徴とする撮影装置。
【請求項２６】
請求項25で前記映像記録手段とは、前記撮影手段の映像を撮影フィルムに記録するアナログ撮影手段、あるいは前記撮影手段の画像を光電変換手段や画像処理手段を用いて電気信号に変え、記憶手段に記録するデジタル撮影手段であることを特徴とする撮影装置。
【発明の詳細な説明】
【技術分野】
【０００１】
撮像手段で得た映像情報を映像表示手段で見る、あるいは撮像手段で得た映像情報を映像記録媒体に記録するための撮影装置に関する。
【背景技術】
【０００２】
従来から撮影レンズの焦点距離を任意で変更するマニュアルフォーカスという機能がある。一眼レフで用いられるTTL光学式ファインダーや、デジタルカメラで用いられる電子式ファインダーでは、撮影レンズ焦点変化に従ってファインダー上の撮影映像の焦点状態が変化するため、撮影者がファインダー映像を確認しながら任意で焦点を合わせることで、自動で焦点距離を判別しにくい被写体に対しても、焦点の合った映像を得ることができる。
【０００３】
従来、上記マニュアルフォーカス機能を有するズーム撮影光学系レンズでは、変倍を担当するレンズ群と合焦を担当するレンズ群が独立している系が通常用いられており、変倍時は変倍レンズ群が移動し、合焦時は合焦レンズ群が移動する。よって物理的に合焦レンズ群だけ移動させている限り、変倍動作は起こりえない。つまりマニュアルフォーカス時に、合焦レンズ群だけを手動で移動させたり、合焦レンズ群だけを合焦群専用モータで移動させている限り、設定された変倍域内の焦点連動被写体距離内の無限から至近のどこかに焦点が合い、被写体の変倍倍率が大きく狂う問題は起きない。
【０００４】
従来例としては、例えば特許文献１をあげることが出来る。
【特許文献１】特開２００１−１７４６８８号公報
【発明の開示】
【発明が解決しようとする課題】
【０００５】
近年、特に銀塩レンズシャッターカメラにおけるズーム撮影光学系レンズにおいて、鏡筒の一連の繰出し動作区間中に、変倍区間と合焦区間を有するものが広く用いられるようになった。すなはち一つのモータを主動力として、変倍駆動と合焦駆動を行なう鏡筒である。
【０００６】
図１は従来例１のシステム図である。図１において、１は撮影光学系レンズの前群レンズで１aは前記前群レンズのカムフォロワー、２は撮影光学系レンズの後群レンズで２aはカムフォロワ−、３は展開された鏡筒でカム溝３a３ｂを有し、３aは１aに３ｂは２aに嵌合し、鏡筒３の回転位置に応じてレンズ間隔を変化させる。18は撮影レンズが焦点を結ぶ焦点面であり、銀塩カメラでは通常フィルムが配置され、デジタルカメラでは通常CCD等の撮像素子が配置される。鏡筒３には鏡筒回転位置を検出する検出パターン５が配置されており、検出パターン５は鏡筒回転位置検出手段４で検出される。６は前記鏡筒駆動モータで、駆動力を伝達するピニオンギア部６aとモータ回転数を検出するためのパルス板６ｂがある。７はモータ回転数を検出するモータ回転数検出手段、８はシャッター手段、９は制御手段であるマイコン、10はレリーズスイッチ、11は鏡筒の変倍駆動を行なうズームスイッチ、12は測距手段、13はシャッター手段駆動ドライバー回路、14は電源、15はモータ6を駆動するモータ駆動回路、16は鏡筒位置検出手段で前記鏡筒回転位置検出手段４とモータ回転数検出手段７から信号を得てマイコン９へ情報を転送している。17はメインスイッチである。
【０００７】
図２（ａ）は従来例１のメインスイッチON時の初期位置出しシーケンス、図２（ｂ）は通常撮影時における撮影シーケンスである。
【０００８】
図２（ａ）において、メインスイッチ17がONされると（201）、モータ６の通電を開始して鏡筒３の初期位置から待機位置１までのレンズ駆動を行う（202）。待機位置１エッジが鏡筒回転位置検出手段４で検出されないと（203N）モータ駆動を続行し、待機位置１エッジが鏡筒回転位置検出手段４で検出されると（203Y）、モータの停止動作を行い（204）、鏡筒３を鏡筒回転位置検出パターン（P1）内に停止させる。合焦区間１の手前で撮影レンズ１，２を待機させる理由は、実際の合焦区間１での撮影時に、合焦区間１開始直後の位置に鏡筒を停止させる場合においても、モータ及び鏡筒駆動開始から完全停止までの最低限の走行区間を設けるためである
図２（ｂ）において、レリーズスイッチがONすると（211）、マイコン９が測距手段12から合焦用情報としての測距情報を得て（212）、撮影レンズを停止させるべき合焦位置の適正モータ回転カウント数を算出する（213）。次にモータ６の通電を開始して鏡筒３の待機位置から所定焦点位置までのレンズ駆動を行なう（214）。カウント開始エッジが鏡筒回転位置検出手段４で検出されないと（215N）モータ駆動を続行し、カウント開始エッジが検出されると（215Y）、マイコン内のカウンタでモータパルスを計測しはじめる（216）。計測カウントがステップ（213）で得られたカウント数未満の場合はモータ通電を続行し（217N）、カウント数以上の場合は（217Y）モータの停止動作を行う（219）。その後に、シャッター駆動回路13を用いてシャッター８の開閉駆動を行う（220）。さらにモータを繰り込み方向に逆通電開始し（221）、カウント開始エッジが鏡筒回転位置検出手段４で検出されないと（222N）モータ駆動を続行し、カウント開始エッジが検出されると（222Y）、モータの停止動作を行う（223）。撮影レンズは鏡筒回転位置検出パターン1内に再び待機することになる。
【０００９】
従来例１では、モータ6の１方向回転中、鏡筒３は常に変倍区間である。撮影レンズの無限から至近までの一連の合焦駆動領域をひとつの合焦区間とすると、前記変倍区間中に特定の3つの焦点区間、すなはち合焦区間１、合焦区間２、合焦区間３を有している。この３つの合焦区間内に撮影レンズ１，２がある場合においては、若干の変倍をしつつも、被写体撮影距離連動範囲の至近から無限のどこかに焦点が合うようになっている。逆に言えば、前記３つの合焦区間以外の非合焦区間に撮影レンズ１，２がある場合には、被写体撮影距離連動範囲のどこにも焦点が合わないようになっている。非合焦区間とは、従来例１のように変倍のみ行う区間を指す場合もあるし、例えば、合焦は可能だが、隣り合う合焦区間の間の変曲区間である場合だとか、変倍ではなく単純に撮影レンズを移動させているだけの例えば撮影手段が沈胴位置から合焦区間１に入るまでの区間を指す場合もある。
【００１０】
そもそも、従来例１で示した一つのモータを主動力としてレンズの変倍駆動と合焦駆動を行う撮影手段を有する撮影装置において、マニュアルフォーカスを行なうものは無い。本件において従来例１でマニュアルフォーカスを想定した場合、様々な問題が起きる恐れがある。
【００１１】
（第１の問題）１つのモータの動きで、合焦区間と非合焦区間の両方とを駆動できるため、撮影装置使用者のマニュアルフォーカス操作に連動して撮影手段が駆動される場合では、マニュアルフォーカス操作中に撮影レンズが合焦区間から逸脱してしまう恐れがある。
【００１２】
（第２二の問題）撮影レンズが合焦区間から逸脱することで被写体撮影距離連動範囲のどこにも焦点が合わないような非合焦区間に撮影レンズがいるにもかかわらず、撮影装置使用者にマニュアルフォーカス操作をさせてしまう恐れもある。
【００１３】
（第３の問題）撮影レンズが第一の合焦区間から逸脱し、非合焦区間を通過し、第二の合焦区間に突入することで、装置使用者の意図しない変倍位置に変わってしまう恐れもある。
【００１４】
（第４の問題）オートフォーカスからマニュアルフォーカスへフォーカスモードを切り替える選択がいつでも出来てしまう問題がある。例えば撮影レンズが変倍駆動途中で合焦区間外にいるときにマニュアルフォーカス選択できてしまうと、被写体に対して全く焦点の合う距離が無い状態からマニュアルフォーカスを始めなくてはならなくなる。
【００１５】
（第５の問題）図１の従来例１のような鏡筒では、複数ある合焦区間それぞれの区間幅が異なる場合が存在する。すなはち、複数ある合焦区間の鏡筒回転角度幅が異なる場合が存在する。故にあらかじめ決められた一つの合焦区間情報（例えば一つの鏡筒回転角度情報）だけではマニュアルフォーカスには対応できない恐れがある。
【００１６】
（第６の問題）図１の従来例１にマニュアルフォーカスを想定した場合、マニュアルフォーカス選択中に変倍駆動を行った時に、機構上変倍用レンズも合焦用レンズも共に動いてしまい、変倍動作前の合焦位置が再現できない。よって鏡筒レンズ変倍駆動終了後に再度マニュアルフォーカスを最初からやり直すことになり操作が面倒になる。
【００１７】
図３は鏡筒の一連の繰出し動作区間中に、変倍区間と合焦区間を有する撮影手段の従来例１で示したもの以外の構成を示したものである。
【００１８】
図３（ａ）は従来例２の図である。従来例１では合焦区間中も若干の変倍を行っていたが、従来例２の撮影レンズ構成では合焦区間中は全く変倍を行わない。しかしながら、基本的なレンズの動きは同じで、モータの一方向回転駆動中に、合焦区間を通過すればそのまま変倍区間になることに変わりはない。
【００１９】
図３（ｂ）は従来例３の図である。従来例３は、テレセントリックな系の鏡筒構成であり、変倍を担当する変倍レンズ群31と、合焦を担当する合焦レンズ群32がある。従来例３において、モータを同方向に通電し差動機構30が噛合っている間は、変倍レンズ群31と合焦レンズ群32が共に移動し、実質変倍駆動区間となっている。前記変倍駆動後にモータを逆転駆動させると、差動機構30が噛合わなくなり、差動機構30から駆動力をもらう変倍レンズ群31は取り残されて停止する。すなわち差動機構30でモータ駆動力が変倍レンズ群31に伝達されない間は撮影レンズ変倍位置が固定される。一方、差動機構より手前のモータ側である合焦レンズ群32は、合焦カム33により単独で合焦駆動のみを行う。同一方向駆動を続行し、上記モータ逆転駆動後の差動機構がた区間が終了し、作動機構30が再係止されれば、変倍レンズ群31も駆動し始め、鏡筒の変倍位置が変わり始める。該合焦カム33は1回転で回転初期のもとのカム位置に戻るようになっている。例えば至近から無限、無限から至近に１回転で戻る。さらに合焦カム33は、モータ逆転駆動開始と共に、差動機構30の係合が解けて、再係止されるまでの間、すなわち合焦駆動区間に、少なくとも半回転以上回るため、必ず至近から無限までの合焦駆動が行なえる。
【００２０】
図３で開示した例にとどまらず、一つのモータの正逆回転で変倍駆動と合焦駆動を行なっている撮影レンズ構成では、同一駆動を続けていると、合焦区間から合焦区間外へ飛び出してしまう。従来例２，３は共に上記従来例１と同じ問題点を有している。
【課題を解決するための手段】
【００２１】
かかる問題点を本件では以下の手段で解決する。
【００２２】
請求項１の構成にすることで、１モータで変倍駆動と合焦駆動を行なう撮影手段であっても、撮影者の任意で合焦位置を任意に変更できるようになる。
【００２３】
請求項２〜３の構成にすることで、合焦用情報を用いた合焦を行なうオートフォーカス撮影と、撮影者の任意で合焦を行なうマニュアルフォーカス撮影のどちらでも撮影が出来るようになる。
【００２４】
請求項４の構成にすることで、１モータで変倍駆動と合焦駆動を行なう撮影手段であっても、マニュアルフォーカス時において、撮影レンズが所定の合焦区間から逸脱して非合焦区間へ移動されることが回避できるようになる。
【００２５】
請求項５の構成にすることで、既存の撮影手段の合焦区間のみでマニュアルフォーカスが行えるようになる。
【００２６】
請求項６の構成にすることで、少なくとも撮影レンズが合焦区間内にあるか否かの判断が容易に確実に何度でも行えるようになり、同一合焦区間内で複数回撮影レンズ移動が行われる可能性の高いマニュアルフォーカスでさえも確実に行えるようになる。
【００２７】
請求項７の構成にすることで、複数ある合焦区間それぞれの区間幅が異なる場合においても、複数ある合焦区間それぞれに応じたの合焦駆動許可区間を設定できるため、それぞれの合焦区間に応じたきめ細かいマニュアルフォーカスができる。
【００２８】
請求項８の構成にすることで、電気スイッチのＯＮＯＦＦだけの合焦駆動許可区間判定だけでなく、さらに電気ソフトを含めた合焦駆動許可区間判定が行えるようになるため、既存の鏡筒位置検出スイッチのマニュアルフォーカスへの転用や合焦駆動許可区間設定変更が容易になる。
【００２９】
請求項９の構成にすることで、マニュアルフォーカス時に、機械構造的に撮影レンズが合焦区間外へ飛び出すのを防ぐことができるようになる。
【００３０】
請求項10の構成にすることで、マニュアルフォーカス操作中に撮影手段が合焦駆動許可区間外に突入した場合でも、表示や音による警告手段で警告することで、装置使用者に注意を促すことができるようになる。
【００３１】
請求項11の構成にすることで、マニュアルフォーカス操作中に撮影手段が合焦駆動許可区間外に突入した場合でも、例えば合焦駆動許可区間からさらに撮影手段が離れるマニュアルフォーカス操作のみを制御手段で受け付けなくさせることで、撮影手段が意図しない次の合焦区間に突入するのを未然に防ぐことができるようになる。すなはち上記操作中であれば駆動を停止し、上記操作を新たに行なう操作スイッチが検出されたのであれば駆動を禁止させる。上記動作変更を行なうことで装置使用者に注意を促すことも同時にできる。
【００３２】
請求項12の構成にすることで、マニュアルフォーカス操作中に撮影手段が合焦駆動許可区間外に突入した場合でも、自動で合焦駆動許可区間内に復帰させることができるようになる。
【００３３】
請求項13の構成にすることで、不用意な撮影レンズ位置でのモード切替が行われなくなり、操作性が向上する。
【００３４】
請求項14の構成にすることで、少なくともオートフォーカスモードからマニュアルフォーカスモードへの切り替えが、合焦区間内で行われるようになり、モード切り替え直後から、撮影レンズ合焦区間内でのマニュアルフォーカス操作が可能になる。
【００３５】
請求項15の構成にすることで、少なくとも撮影レンズが合焦区間内にあるか否かの判断が容易に確実に何度でも行えるようになり、モード切り替えが所定の動作区間内で確実に行われるようになる。
【００３６】
請求項16の構成にすることで、複数ある合焦区間それぞれの区間幅が異なる場合においても、複数ある合焦区間それぞれに応じたの所定の動作区間を設定できるため、それぞれの合焦区間に応じた確実なモード切替ができる。
【００３７】
請求項17の構成にすることで、電気スイッチのＯＮＯＦＦだけの所定の動作区間判定だけでなく、さらに電気ソフトを含めた所定の動作区間判定が行えるようになるため、既存の鏡筒位置検出スイッチの転用や所定の動作区間設定変更が容易になる。
【００３８】
請求項18の構成にすることで、合焦区間外からマニュアルフォーカスが始まる場合でも、速やかに撮影手段を合焦区間へ移動させることが出来るようになる。
【００３９】
請求項19の構成にすることで、マニュアルフォーカス時に、機械構造的に合焦区間外でのモード切替が不可能になり、合焦区間外からマニュアルフォーカスが始まるのを防ぐことができるようになる。
【００４０】
請求項20の構成にすることで、あらかじめ第1の合焦区間における撮影手段の最終停止位置にまつわる情報が記憶されているので、マニュアルフォーカス選択中に変倍駆動を行い、次の合焦区間に突入しても、記憶されている前記情報をもとにした撮影手段の停止駆動が行なえる。よって鏡筒レンズ変倍駆動終了後に全く脈略の無い合焦位置から再度マニュアルフォーカスをやり直す必用が無くなり操作性が向上する。
【００４１】
請求項21の構成にすることで、撮影手段の第1合焦区間での合焦距離を確実に得ることができるようになる。
【００４２】
請求項22の構成にすることで、マニュアルフォーカス選択中に変倍駆動を行い、次の合焦区間に突入しても、記憶されている前記情報をもとにして、撮影手段の変倍動作前の合焦距離位置が再現できる。よって鏡筒レンズ変倍駆動終了後に再度マニュアルフォーカスを最初からやり直す必用が無くなり操作性が向上する。
請求項23の構成にすることで、映像表示手段を用いて、マニュアルフォーカスを行いながら、撮影手段で得られる焦点距離が変化する映像を確認し調節することができるようになる。
【００４３】
請求項24の構成にすることで、既存のTTL光学ファインダーや、既存の電子ファインダー等の表示手段を用いて、マニュアルフォーカスによる焦点距離変化を確認出来る。
【００４４】
請求項25の構成にすることで、マニュアルフォーカスで得られた撮影者の任意焦点距離映像が映像記録媒体に記録されるようになる。
【００４５】
請求項26の構成にすることで、マニュアルフォーカスで得られた撮影者の任意焦点距離映像が、アナログ撮影装置であれば撮影フィルムに、デジタル撮影装置であればROM、RAM、CDR、DVD、磁気テープなど情報記録媒体である記憶手段に記録することが出来る。
【発明の効果】
【００４６】
上記のように、本出願を実施することで、一つのモータを主動力として、変倍駆動と合焦駆動を行なう鏡筒を用いた場合においても、無限から至近までの一つの合焦区間内でのマニュアルフォーカス駆動を円滑に行なうことができるようになる。
【００４７】
さらに、基本的には既存の一つのモータを用いてマニュアルフォーカスするため、特別にアクチュエータを増設する必要が無く、安価で小型である。
【発明を実施するための最良の形態】
【００４８】
（実施例１）
図4は本件の実施例１のシステムを表した図である。実施例１では、撮影レンズ合焦位置に光電変換手段19であるCCDを用いている。CCDで得られた映像電気情報は画像処理手段20に伝達し、所望の画像処理を施して、液晶等の表示手段21に撮影手段から得たの映像を表示する。さらにレリーズスイッチ10が押されると、画像処理手段20から映像情報を情報記憶媒体である記憶手段22に記録する。記憶手段22は一般的に用いられているROM、RAM、CDR、DVD、磁気テープなど電気情報を記録できるタイプならどれでも構わない。記憶手段に関して内蔵固定型、内蔵あと付け型など問わない。図４では撮影装置本体内部に記憶手段22がある場合を開示したが、無線通信手段や有線通信手段を用いて外部の記憶手段に映像情報を記憶させても構わない。
【００４９】
実施例１では、モード選択手段であるモード切替スイッチ23を有しており、マイコン９が前記スイッチ変化を検知している。具体的には、装置使用者の任意で撮影レンズ合焦駆動を行なうマニュアルフォーカス（MF）モードと、撮影装置の測距手段から合焦用情報である被写体距離情報を得て、撮影手段が自動で該被写体距離に適する合焦位置に撮影レンズ駆動を行なうオートフォーカス（AF）モードの選択を行なう。さらにMFモード時に、撮影手段を被写体距離無限側と至近側に駆動させるためのMFスイッチ24がある。MFスイッチはMFモード時でないと操作は受け付けないよう設定されている。
【００５０】
実施例１では、撮影手段である鏡筒レンズの光学的な合焦区間と、マニュアルフォーカス操作を許容する合焦駆動許可区間及びマニュアルフォーカスモードへの切り替えを許容する所定の動作区間が同じ区間であるよう設定されている。従って、鏡筒回転位置検出パターンが、３つある合焦区間を検出するために、各合焦区間の最初と最後に合わせてパターン１、パターン２、パターン３、パターン４が配置されており、少なくとも鏡筒回転位置検出手段４を検出するだけで、撮影レンズ１，２が合焦区間にあるかが検出できる。
【００５１】
また、測距手段12は、赤外線の投受光を用いたアクティブAFや、複眼受光レンズの像ずれを用いたパッシブAF、受光像のコントラストを用いたテレビAFなど、被写体の合焦のために用いる被写体距離などの合焦用情報が得られるものであれば種類を問わない。
【００５２】
図５は実施例１のメインスイッチON時の鏡筒繰出しシーケンスである。メインスイッチ17が押されると（501）、測距手段12から被写体測距情報をマイコン９に伝達し（502）、測距情報に基づいたモータパルスカウント数を算出し（503）、モータ６の繰り出し駆動を開始する（504）。最初の合焦区間である合焦区間１の始まりを表すパターン1エッジが検出されるまで検出を繰り返し（505N）、パターン1エッジが検出されると（505Y）、マイコン９でカウントを開始し（506）、前期ステップ（503）で算出した所定カウントになるまで加算し続け（507N）、所定カウントに達すると（507Y）、モータの逆通電やショートなどの停止動作を行い（508）、カウントを終了し初期化する（509）。この撮影手段停止位置による映像をCCDから得て画像処理し（510）、映像表示手段24である液晶ファインダーなどに映像を表示し（511）、さらに撮影手段である鏡筒の現在位置をマイコン内の記憶手段に記憶する（512）。
【００５３】
図６は実施例１の通常撮影時における撮影シーケンスである。まずモード状態を検出しAFモードであるかMFモードであるかの状態を判別しマイコン内記憶手段に記憶する（601）。次に撮影装置が具備する各種スイッチの変化を検出するスイッチの受け付けを始める（602）。何らかのスイッチの状態変化が検出できるまで検出を続け（603N）、スイッチの状態変化が検出されると（603Y）何のスイッチであるか検出を始める。
【００５４】
メインスイッチの状態変化が検出された場合（604Y）、撮影手段からの画像情報処理を終了し（609）、さらに画像処理映像表示も終了し（610）、撮影手段を初期位置に戻すためにモータ通電を開始する（611）。モータ駆動前の撮影手段位置情報を手がかりに、合焦区間1始まりを表すパターン1エッジを検出し（612Y）、あらかじめマイコン内記憶手段に記憶させてある撮影手段初期位置までのモータパルスカウントの測定を開始し（613）、所定カウントまで加算カウントが到達すると（614Y）、モータ停止動作を行い（615）、カウント測定を終了し（616）、撮影手段である鏡筒の最終位置をマイコン内記憶手段に記憶しシーケンスを終える（618）。
【００５５】
レリーズスイッチの状態変化が検出された場合（605Y）、モード状態の確認を行い、AFモードである場合（619AF）、測距手段の測距情報をマイコンに転送し（620）、該測距情報に適する合焦位置までのモータパルスカウント数を、現在の撮影鏡筒位置情報も加味して算出し（621）、パルスカウントを開始する（622）。次に、現在の撮影鏡筒位置情報、及び合焦位置からモータ通電方向を判定し、所望の回転方向にモータを通電させ（623）、所定カウント数にパルス加算数が到達すると（624Y）、カウント測定を終了し（625）、モータ停止動作を行い（626）、所定のシャッター動作をドライバー回路13で行い（627）、所定タイミング中に蓄積されたCCDの映像情報を画像処理手段で処理し（628）、該処理後映像情報を電子式ファインダー等の映像表示手段で表示し、さらに記憶手段22に映像情報として記録し（630）、最終的な鏡筒位置をマイコン内記憶手段に記憶し（631）、ステップ（603）に戻る。MFモードである場合（619MF）、現在の鏡筒位置が優先されるため、現在の鏡筒位置のまま撮影動作がなされるステップ（627）に飛ぶ。
【００５６】
ズームスイッチの状態変化が検出された場合（606Y）、図７のBに飛ぶ。
【００５７】
モード切替スイッチの状態変化が検出された場合（607Y）、図8のCに飛ぶ。
【００５８】
マニュアルフォーカス操作スイッチの状態変化が検出された場合（608Y）、図９のDに飛ぶ。
【００５９】
図７は実施例１の通常撮影時におけるズームスイッチシーケンスである。図６より、ズームスイッチ変化が検出されると（606Y）、図７Bに飛び、モード状態の確認を行なう（700）。AFモードの時（700AF）、測距手段からマイコン９が測距情報を得て（701）、該測距位置に適合する合焦位置モータパルスカウントを算出する（702）。次に、前記（606）のズームスイッチ変化情報をもとに望遠側か広角側のどちら側に駆動しようとするか判定され（703）、マイコン内の記憶手段にある現在の鏡筒位置情報と比較し、撮影手段が次の合焦区間へ変倍移動可能か判断する（704）。ズーム可能な場合（704Y）、モータを所望の方向に通電開始し（705）、所望のパターンエッジが検出されるまで検出を続ける（706N）。例えば、次の合焦区間の開始エッジが検出されれば（706Y）、モータパルスカウント測定を開始し（707）、（702）で用意したカウント数までカウント加算され続ける（708N）。所定カウントまで加算されると（708Y）、ステップ（606）でONされたのと同じ鏡筒変倍方向のズームSWがONされ続けているか判断する（709）。同じ鏡筒変倍方向のズームスイッチがONされ続けているということは、装置使用者はさらに次の合焦区間に変倍させたいと判断し（709Y）、さらに変倍が可能であるか現在の撮影手段の位置を加味して判断する（710）。さらに次の合焦区間に変倍可能な場合（710Y）、一旦カウントを終了し（711）、次の合焦区間のパターンエッジ検出を開始する（706）。ステップ（709）でズームスイッチが押されていない場合、装置使用者はこの合焦区間に変倍させたいと判断し（709N）、モータ停止駆動を行い（712）、カウントを終了し（713）、鏡筒位置をマイコン９内の記憶手段で記憶し、図６のAに飛ぶ。
【００６０】
ステップ（710）で、ズームスイッチは押圧され続け、装置使用者は次の合焦区間に移りたいにもかかわらず、次の合焦区間が無いなどの理由でズームが不可能であると判断されると（710N）、ステップ（712）に飛ぶ。
【００６１】
ステップ（704）で、ズームスイッチは押圧され、装置使用者は次の合焦区間に移りたいにもかかわらず、次の合焦区間が無いなどの理由でズームが不可能であると判断されると（704N）、図６のAに飛ぶ。
【００６２】
以上のように、撮影手段の変倍駆動が行なわれる際、AFモードでは、測距手段をもとに、変倍駆動後の次の合焦区間での停止位置が決められるのに対し、MFモードでは、変倍駆動直前の撮影手段位置情報をもとに、変倍駆動後の次の合焦区間での停止位置が決められる。故に、MFモード時に撮影手段位置情報から被写体撮影距離を割り出しておけば、変倍駆動後に次の合焦区間に止める時に、該被写体距離情報に適合する鏡筒停止で再度停止できる。
【００６３】
よって、MF操作後の変倍駆動を行なっても、再度MF操作を初めからやり直す必用が無くなる。
【００６４】
図８は実施例１の通常撮影時におけるモード切替スイッチシーケンスである。図６より、モード切替スイッチ変化が検出されると（607Y）、図８Cに飛び、現在の鏡筒位置情報を読み出し（800）、読み出した鏡筒位置情報と既に記憶されているモード切替を許可できる鏡筒の所定の動作区間であるか比較する。撮影手段がモード切替可能な所定の動作区間内である場合（802Y）、モード切替状態の確認を行なう（803）。MF状態でAFモードが選択された場合（803  MF→AF）、マイコン９が測距手段12から測距情報を得て（804）、該測距情報をもとに撮影手段適正合焦位置カウントを現在鏡筒位置情報と加味して算出する（805）。カウント測定を開始し（806）、目標合焦位置に合わせた回転方向にモータ通電を開始する（807）。所定カウントの加算が確認されるまでカウント測定を続け（808N）、所定カウント数と一致すれば（808Y）、モータ停止駆動を行い（809）、カウント測定を終了し（810）、鏡筒位置をマイコン9内の記憶手段に記憶し（811）、現在モードを記憶し（812）、モードがMFからAFに変化したことを表示や音などの警告手段を用いて装置使用者に知らせ（813）、図６Aに飛ぶ。
【００６５】
ステップ（803）で、AF状態でMFモードが選択された場合（803  AF→MF）、音や表示など行なう警告手段で、モードがAFからMFへ変化したことを警告し（814）、現在のモードを記憶し（815）、図６Aに飛ぶ。
【００６６】
ステップ（802）で、撮影手段が所定の動作区間外である場合、例えば変倍動作途中の変倍のみ行なっている区間に撮影レンズがある場合など（802N）、モード切替状態の確認を行なう（816）。MF状態でAFモードが選択された場合（816  MF→AF）、音や表示など行なう警告手段でモード切替が不可能であることを警告し（817）、マイコン９が測距手段12から測距情報を得て（818）、該測距情報をもとに撮影手段適正合焦位置カウントを現在鏡筒位置情報と加味して算出する（819）。目標合焦位置に合わせた回転方向にモータ通電を開始し（820）、所望の合焦区間開始パターンエッジの検出を開始する（821）。パターンエッジが検出されれば（821Y）、カウント測定を開始し（822）、所定カウントの加算が確認されるまでカウント測定を続け（823N）、所定カウント数と一致すれば（823Y）、モータ停止駆動を行い（824）、カウント測定を終了し（825）、鏡筒位置をマイコン9内の記憶手段に記憶し（826）、現在モードを記憶し（827）、モードがMFからAFに変化したことを表示や音などの警告手段を用いて装置使用者に知らせ（828）、図６Aに飛ぶ。
【００６７】
ステップ（816）で、AF状態でMFモードが選択された場合（816  AF→MF）、音や表示など行なう警告手段でモード切替が不可能であることを警告し（829）、鏡筒位置情報から最も近いモード切替可能な鏡筒の所定動作区間を選択し、所望の回転方向にモータ駆動を開始し（830）、所定動作区間である合焦区間の開始パターンエッジを検出する（831）。所望のパターンエッジが検出されれば（831Y）、所定のモータ停止駆動を行い（832）、鏡筒停止位置をマイコン内の記憶手段に記憶し（833）、モード状態をマイコン9内の記憶手段に記憶し（834）、音や表示など行なう警告手段で、モードがAFからMFへ変化したことを警告し（835）、図６Aに飛ぶ。
【００６８】
以上のように、実施例１では、鏡筒位置情報と、あらかじめ記憶されているモード切替可能な所定の鏡筒動作区間を比較することで、不用意なモード切替を禁止している。つまり、隣り合う合焦区間の間に存在するどの被写体距離にも合焦しない撮影レンズ移動区間や、変倍のみ行なっている撮影レンズ移動区間や、合焦レンズの合焦駆動方向（至近から無限、無限から至近）が変わる変極点区間や、沈胴位置から最初の合焦区間までの撮影レンズ移動区間など、通常は合焦を行なっている撮影レンズ合焦区間以外の位置に撮影レンズがある場合に、所定の動作区間外に撮影レンズがあるままの状態でモード切替が行なわれないようにして、どの被写体距離にも合焦しない位置からMFが始るのを防いでいる。
【００６９】
さらに、もし撮影レンズが所定の動作区間に無いと判断されると、一旦撮影レンズを最も現在の撮影レンズ位置から近い、所定の動作区間内に強制的に移動させるようにした後、モード切替を行なうようにもしている。
【００７０】
撮影装置使用者にとって、必ずどこかの被写体距離に合焦位置を有する区間でMF操作できることで、無意味なMF操作をさせることはない。
【００７１】
図９は実施例１の通常撮影時におけるマニュアルフォーカス（MF）操作スイッチシーケンスである。図６より、MF操作スイッチ変化が検出されると（608Y）、図９Dに入る。最初に現在のモード状態を判定し（900）、AFモードであれば（900AF）、MF操作は行えないのでそのまま図６Aに飛ぶ。MFモードであれば（900MF）、操作されたMFスイッチが至近側への駆動か無限側への駆動かの判断を行う（901）。次に現在の鏡筒位置情報をマイコン内記憶手段から読み出し（902）、現在の鏡筒位置とマイコン内記憶手段にあらかじめ記憶されている合焦駆動許可区間情報と比較して、MF操作スイッチで指示された方向に鏡筒レンズを移動可能か判断する（903）。例えば、鏡筒レンズが合焦駆動許可区間内の極端部にある場合など、指定方向にMF駆動を行うことで直ちに鏡筒レンズが合焦駆動許可区間外へ逸脱してしまうことが予測される場合は指定MF方向でのMF駆動が不可能と判断し（903N）、図６Aに飛ぶ。逆に十分に鏡筒レンズが合焦駆動許可区間にある場合は指定MF方向でのMF駆動が可能と判断され（903Y）、鏡筒位置変化を確認するためのモータパルスカウントを開始し（904）、MF操作スイッチから判断された駆動方向にモータ通電を開始する（905）。ステップ（902）で呼び出された鏡筒位置情報をもとに、カウント数を加算又は除算し駆動中の鏡筒レンズ位置を把握し、鏡筒レンズ位置が合焦駆動許可区間にある場合は（906Y）、合焦区間パターンエッジの検出を行い鏡筒レンズ位置が合焦駆動許可区間にあるか再確認する（907）。実施例１では、撮影レンズの合焦区間とMF操作の合焦駆動許可区間が一致するように設定されているため、所望のパターンエッジに鏡筒レンズの突入が確認されることだけで鏡筒レンズ位置が合焦駆動許可区間にないことか確認できる。所定パターンエッジの確認が無い場合（907N）、ステップ（608）と同じMFスイッチ変化が継続されているか判断する（908）。継続してる場合（908Y）、引き続き同方向にMF駆動可能であるかカ現在のカウント数を考慮して、鏡筒レンズ位置が合焦駆動許可区間にあるか判断する（906）。ステップ（908）で、MFスイッチの継続が確認できない場合（908N）、及びステップ（906）で指定方向にMF駆動を行うことで直ちに鏡筒レンズが合焦駆動許可区間外へ逸脱してしまうことが予測される場合は（906N）、モータ停止駆動を行い（909）、モータカウントを終了し（910）、鏡筒位置をマイコン内記憶手段に記憶し（911）、図6Aに飛ぶ。また、ステップ（907）で、モータパルスカウントのずれや、何らかの外乱で、鏡筒レンズが所定パターンに突入してしまった場合（907Y）、Eへ飛び、音や表示などの警告手段で鏡筒レンズが合焦駆動許可区間外へ逸脱したことなど現在の状況を警告する（912）。次にモータ停止動作を行い（913）、カウント測定を終了し（914）、最も近い合焦駆動許可区間のある合焦区間方向にモータを最通電する（915）。所望のパターンエッジを検出すると（916Y）、カウント測定を開始し（917）、モータ停止動作を行い（918）、カウント測定を終了させ（918）、パターンエッジからの鏡筒レンズ停止までのモータパルスより鏡筒位置情報を算出しマイコンの記憶手段に記憶させ（920）、図６Aに飛ぶ。
【００７２】
実施例の長所説明で使うとしてのみ（第五に、マニュアルフォーカス操作と連動する鏡筒を想定した場合、鏡筒の合焦区間内での複数往復駆動が必要となり、そのためには一つの合焦区間の少なくとも最初と最後を何度でも判定できる鏡筒位置検出手段が必要となる。しかし、図１のような従来例のシステムでは、鏡筒回転角度検出パターンエッジからのモータパルス数でレンズ位置を判断しているため、何度もマニュアルフォーカス操作でモータの往復を続けると、モータパルス数に駆動機構のバックラッシやモータ停止時の逆回転などの誤差が乗り、鏡筒位置がわからなくなる場合がある。）
以上のように実施例１では、マニュアルフォーカスモード選択時に、操作されたマニュアルフォーカス方向に鏡筒レンズを駆動することで、撮影レンズが合焦駆動許可区間外に移動してしまいそうな場合には、操作されたマニュアルフォーカスは行われない。さらに、合焦操作スイッチが継続操作中であり、マニュアルフォーカス駆動継続中であっても、鏡筒レンズが合焦駆動許可区間外に逸脱する直前に前記マニュアルフォーカス駆動を中止し、合焦駆動許可区間外に鏡筒レンズが突入するのを未然に防ぐ。当然継続操作中の合焦操作スイッチは却下され、同じ状態で再度同じ合焦操作スイッチを変化させても却下される。さらに、鏡筒位置情報の誤差や外乱などで、予想外に鏡筒レンズが合焦駆動許可区間外に突入した場合でも、不図示の発音体や表示手段などの警告手段を用いて、装置使用者に撮影レンズ状態の警告を行える。さらに合焦駆動を直ちに中止することで、意図しない隣の合焦区間への突入が未然に防ぐことが出来、さらに非合焦区間から自動で合焦区間に復帰させて必ず合焦駆動許可区間でマニュアルフォーカス操作を行えるように出来る。
【００７３】
（実施例２）
図10は本件の実施例２のシステムを表した図である。モード切替スイッチに、撮影手段が合焦駆動許可区間外に動くのを規制する規制手段を設けた点が実施例１と事なる。図10において、撮影鏡筒３には、合焦区間１，２，３に対応する区間に凹部３ｃ、３ｄ、３eを有し、さらに非合焦区間に対応する区間に凸部３ｆ、３ｇ、３ｈ、３iを有している。モード切替スイッチ25は、非合焦位置に鏡筒がある場合にはON状態のままであり、ON状態はAFモードである。逆にOFF状態はMFモードである。
【００７４】
装置使用者が、非合焦区間でモード切替スイッチをMFモードに切り替えようとしても、つまりOFF状態にスイッチ状態を変化させようとしても、凸部３ｆ、３ｇ、３ｈ、３iが、モード切替スイッチ25の移動を阻止する。すなわち、メカ機構的に撮影レンズが非合焦区間にある場合は、AFモードからMFモードへの切り替えが出来ない。
【００７５】
逆に、装置使用者が、合焦区間でモード切替スイッチをMFモードに切り替えようとすると、つまりOFF状態にスイッチ状態を変化させようとすると、スイッチ25は凹部３ｃ、３ｄ、３eが生み出す凹空間に移動出来る。すなわち、メカ機構的に撮影レンズが合焦区間にある場合は、AFモードからMFモードへの切り替えが出来る。当然合焦区間であれば、MFモードからAFモードへの切り替えも出来る。
【００７６】
さらに、MFモード切替選択後の合焦操作においても、所定合焦区間から撮影レンズが逸脱しようとすると、凹部３ｃ、３ｄ、３eのいずれかの端面とモード切替スイッチ25が当接して鏡筒規制手段となり、撮影レンズが非合焦区間に突入するのをメカ機構で阻止できる。
【００７７】
さらに、MFモードのままでは鏡筒がモード切替スイッチ25に当接して、鏡筒初期位置（沈胴位置）に戻れないため、装置使用者は必ずAFモードに戻してから撮影装置をOFFする。逆に、特殊撮影であるMFモードに入れっぱなしのまま不用意に装置がON復帰されることが無くなり、装置使用者にも使い勝手が良くなる。
【００７８】
シーケンスは前記実施例１、図５〜図９と同様なので説明を割愛する。
【００７９】
以上のような実施例２の構成にすることで、電気スイッチや制御シーケンスだけに頼ることなく、メカ機構で安全確実なモード切替、MF合焦操作ができるようになる。
【００８０】
本出願の実施例２におけるマニュアルフォーカス操作は、TTL光学式ファインダーや電子式ファインダーで撮影手段の映像を眺めながら、合焦操作手段と連動する電動モータで駆動させた。しかしながら、実施例２で示したような、撮影手段が合焦駆動許可区間外に動くのを規制する規制手段を設けることで、撮影手段が合焦駆動許可領域にある場合は、実施例で示した電動モータによる撮影手段の駆動の代わりに、手動により撮影手段を合焦駆動させても構わない。
【００８１】
（実施例３）
図11は本件の実施例３のシステムを表した図である。実施例１と異なる点は、撮影記録手段にCCDや記憶手段ではなく銀塩フィルム29を用い、さらに液晶などの電子式ファインダーではなくTTL光学式ファインダーを用いた点である。図11において、27はペリクルミラーで、撮影レンズ1,2からの入射光をTTLファインダー側の反射光とフィルム側の透過光に分離する。28はTTLファインダーで反射光を直接装置使用者が目視することで、常に撮影レンズ1,2を通した被写体の合焦状態が確認できる。
【００８２】
シーケンスは前記実施例１、図５〜図９と同様なので説明を割愛する。しかしながら、実施例３は、撮影レンズによる映像を、銀塩フィルム29に露光して撮影する場合を想定しているため、デジタルカメラで用いられる光電変換撮像素子や画像処理や画像処理後の映像表示が無い。図５におけるステップ（510）（511）は不要になり、図６にけるステップ（609）（610）、（628）（629）（630）は不要になる。
【００８３】
またフィルムカートリッジやフィルム給送手段、フィルム給送方法に関しては、本出願に関して直接関係しないため、説明を割愛している。
【００８４】
以上のような実施例３の構成にすることで、TTL光学式ファインダーを用いた場合でも電子式ファインダーを用いた場合と同じマニュアルフォーカスによる被写体の合焦変化を確認することが可能になる。さらに銀塩フィルムを映像記録媒体として用いた場合でも、デジタル撮影（光電変換撮像素子、画像処理、制御手段、記憶手段を用いたシステム）と同様にマニュアルフォーカスによる被写体の合焦変化を生かした映像記録が行える。すなわち、TTL光学式ファインダーや銀塩フィルムを用いた場合でも、実施来１同様な安全確実なモード切替、MF合焦操作ができる。
【００８５】
さらに実施例３は、TTL光学ファインダーと銀塩フィルムによる撮影の組み合わせだが、TTL光学ファインダーとデジタル撮影の組み合わせでも構わないし、電子式ファインダー（ペリクルミラーによる反射光を光電変換素子で撮影し、画像処理、表示手段で表示する）と銀塩フィルムの組み合わせでも構わない。いづれの場合も実施例１お同じ効果が得られる。
【００８６】
（実施例４）
図12は本件の実施例４のシステムを表した図である。実施例１と異なる点は、鏡筒３に鏡筒回転位置を検出するための連続する可変抵抗パターンが配置されており、該可変抵抗パターン26が鏡筒回転位置検出手段４で鏡筒の動きに常に連動して連続で検出される点である。実施例４は鏡筒可動側に可変抵抗パターン26を設け固定側に検出系を設けたが、鏡筒レンズの位置が連続的に把握可能な検出手段であれば配置や素子構成は問わない。
【００８７】
実施例１では、単純な抵抗値が2通り（ON、OFFのみ）しかない鏡筒回転位置検出パターンであり、鏡筒駆動方向とパターン変化を記憶し続けることで、鏡筒のおおまかな位置は把握できた。しかし、不用意な外力が鏡筒に加わり鏡筒レンズ位置が変わってしまったとか、マイコンが鏡筒位置を忘却したといった不測の事態で問題があった。実施例４では、実施例1〜３で用いられていた鏡筒回転位置検出パターンを、可変抵抗などの原理を用いた連続してで鏡筒絶対位置検出が出来る電気素子に代えることで、常に正確な鏡筒位置検出が短時間で行える効果がある。可変抵抗値と鏡筒位置を１対１対応させているためである。
【００８８】
実施例４では、単に撮影鏡筒の合焦区間情報のみならず、マニュアルフォーカスを行うための合焦駆動許可区間情報や、モード切替を行うための撮影手段の所定の動作区間情報を、可変抵抗値に対応させて換算し、あらかじめマイコン内記憶手段に記憶させてある。さらに各合焦区間内での無限から至近までの焦点位置情報も可変抵抗値に対応させてあらかじめマイコン内記憶手段に記憶させてある。鏡筒や可変抵抗パターン26を組んだ後で、上記合焦駆動許可区間情報や所定の動作区間情報を記憶させるため、組まれた鏡筒のくせや可変抵抗の位置ずれに合わせ、最適の合焦駆動許可区間情報や所定の動作区間情報に変えて記憶させることができる利点もある。
【００８９】
シーケンスは前記実施例１、図５〜図９と同様なので説明を割愛する。しかしながら、実施例４は、実施例1〜３で行われていたパターンエッジ検出という行為が、検出された鏡筒可変抵抗値と記憶された前記パターンエッジ位置に相当する抵抗値との一致を検出することに変わる。
【００９０】
また実施例４は、可変抵抗を用いた鏡筒位置検出手段とデジタル撮影及び電子式ファインダーの組み合わせであるが、可変抵抗を用いた鏡筒位置検出手段と銀塩撮影及びTTL光学ファインダーの組み合わせでも何ら問題は無い。
【００９１】
以上説明したように、本出願の実施例１〜４におけるマニュアルフォーカス操作は、TTL光学式ファインダーや電子式ファインダーで撮影手段の映像を眺めながら、単に合焦方向（無限側、至近側）を指定するだけの合焦操作手段を操作し、合焦操作手段と連動する電動モータで駆動させるものであった。
【００９２】
他のマニュアルフォーカスの方法として、単に合焦方向（無限側、至近側）を指定するだけの合焦操作でなく、被写体距離を指定する合焦操作手段であっても構わない。上記被写体距離を指定する合焦操作手段を用いる場合も、シーケンスは同じである。図９のステップ（901）（902）では、現在の撮影手段の位置から現在の合焦距離を割り出し、合焦操作手段で指定された合焦距離と比較することで駆動方向と駆動カウントを割り出す。ステップ（903）で、マイコン内記憶手段にあらかじめ記憶されている合焦駆動許可区間に、指定された合焦距離が合致するか判定を行い、合焦駆動許可区間外ならAに飛び（903N）、合焦駆動許可区間内ならステップ（904）に飛ぶ。また被写体距離を指定する合焦操作手段であるため、一回の合焦距離指定操作（608）で、一回だけ図９のシーケンスが行なわれる。つまり、二回目の合焦指定を行なうと、図９のシーケンス最初のステップ（900）から始まる。故に図９ステップ（907N）の場合ステップ（909）に飛び、ステップ（908）は不要になる。また上記被写体距離を指定する合焦操作手段である場合は、表示手段21に、合焦操作手段が設定した合焦距離や、測距手段で測距した合焦用情報である被写体距離情報を表示しても良い。さらに上記被写体距離情報と合焦操作手段が設定した合焦距離の相対変化がわかるような指標や、上記被写体距離情報と合焦操作手段が設定した合焦距離が合致した場合の表示の変化、音による警告など合っても良い。
【図面の簡単な説明】
【００９３】
【図１】従来例１のシステム図
【図２】（ａ）従来例１のメインスイッチON時の初期位置出しシーケンス（ｂ）通常撮影時における撮影シーケンス
【図３】（ａ）従来例２の図（ｂ）従来例３の図
【図４】実施例１のシステム図
【図５】実施例１のメインスイッチON時の鏡筒繰出しシーケンス
【図６】実施例１の通常撮影時における撮影シーケンス
【図７】実施例１の通常撮影時におけるズームスイッチシーケンス
【図８】実施例１の通常撮影時におけるモード切替スイッチシーケンス
【図９】実施例１の通常撮影時におけるマニュアルフォーカス操作スイッチシーケンス
【図１０】実施例２のシステム図
【図１１】実施例３のシステム図
【図１２】実施例４のシステム図
【符号の説明】
【００９４】
１  撮影光学系レンズの前群レンズ
１a  前記前群レンズのカムフォロワー
２  撮影光学系レンズの後群レンズ
２a  カムフォロワ−
３  展開された鏡筒
３a、３ｂはカム溝
４  鏡筒回転位置検出手段
５  検出パターン
６は前記鏡筒駆動モータ
６a  ピニオンギア部、
６ｂ  パルス板
７  モータ回転数検出手段
８  シャッター手段
９  マイコン
10  レリーズスイッチ
11  ズームスイッチ
12  測距手段
13  シャッタードライバー回路
14  電源
15  モータ駆動回路
16  鏡筒位置検出手段
17  メインスイッチ
18  焦点面
19  CCD
20  画像処理手段
21  表示手段
22  記憶手段
23  モード切替スイッチ
24  マニュアルフォーカス（MF）スイッチ
25  モード切替スイッチ
26  可変抵抗パターン
27  ペリクルミラー
28  TTLファインダー
29  銀塩フィルム
30  差動機構
31  変倍レンズ群
32  合焦レンズ群
33  合焦カム
【図１】
2007065333.tif 000003
【図２】
2007065333.tif 000004
【図３】
2007065333.tif 000005
【図４】
2007065333.tif 000006
【図５】
2007065333.tif 000007
【図６】
2007065333.tif 000008
【図７】
2007065333.tif 000009
【図８】
2007065333.tif 000010
【図９】
2007065333.tif 000011
【図１０】
2007065333.tif 000012
【図１１】
2007065333.tif 000013
【図１２】
2007065333.tif 000014